(57)【要約】【課題】本発明は、仕切り構造において、従来の構成が有していた課題とされる緊急時の備蓄資材としての収納性・持ち運び・簡便で確実な設営・耐久性・美観などの観点から最適な手段を考案し、顧客ニーズに応える。【解決手段】長方体の板状体で折り曲げ可能な第１仕切り部材１と、第２仕切り部材２と、柱状の基体に十文字溝が形成された第１連結部材３とを係合させて連結し、所定の空間を所望形状の小空間に区分する仕切り構造が可能な手段を用いている。【選択図】  図５
2014092014.tif 000002
【特許請求の範囲】
【請求項１】
長方形の板状体であって長手方向所定位置で折り曲げ可能な第１本体部と、第１本体部の両端に折り曲げ可能に連接された連結片とを有する第１仕切り部材と、 
長方形の板状体からなる第２本体部と、第２本体部の両端に折り曲げ可能に連接された連結片とを有する第２仕切り部材と、 
柱状の第１基体に軸方向に十文字溝が形成され、十文字溝の交差位置に溝側壁と所定隙間を隔てて突起が形成された第１連結部材とを用い、 
第１仕切り部材及び第２仕切り部材の連結片を、第１連結部材の十文字溝に係合させて、第１仕切り部材及び第２仕切り部材を連結し、所定の空間を所望形状の小空間に区分けすることを特徴とする仕切り構造。 
【請求項２】
第１連結部材の十文字溝の幅が、第１仕切り部材の連結片及び第２仕切り部材の連結片の少なくとも一方を二枚重ね合わせて係合可能な幅である請求項１記載の仕切り構造。 
【請求項３】
柱状の第２基体に軸方向に十文字二段溝が形成された第２連結部材をさらに用い、 
第１仕切り部材及び第２仕切り部材の連結片を、第１連結部材の十文字溝の幅及び第２連結部材の十文字二段溝の幅の少なくとも一方に係合させ、 十文字一段溝には第１仕切り部材及び第２仕切り部材のコーナー上下面を対向にして係合させて、第１仕切り部材及び第２仕切り部材を連結し、所定の空間を所望形状の小空間に区分けする請求項１又は２記載の仕切り構造。 
【請求項４】
第２連結部材の十文字二段溝及び十文字一段溝は、十文字二段溝の幅が第１仕切り部材の連結片及び第２仕切り部材の連結片の少なくとも一方を二枚重ね合わせて係合可能な幅であり、十文字一段溝の幅は第１仕切り部材のコーナー上下面及び第２仕切り部材のコーナー上下面に対向させて係合可能な幅である請求項３記載の仕切り構造。 
【請求項５】
第１仕切り部材及び第２仕切り部材の連結片が、切り込み又は折り曲げ筋によって第１本体部及び第２本体部に対して折り曲げ可能に連接され、
第１連結部材の十文字溝に形成された突起に前記切り込み又は折り曲げ筋が対向するように、第１仕切り部材及び第２仕切り部材の連結片を第１連結部材の十文字溝の幅に係合させる請求項１〜４のいずれか１項に記載の仕切り構造。 
【請求項６】
第１仕切り部材及び第２仕切り部材が、段ボールから構成されたものである請求項１〜５のいずれか１項に記載の仕切り構造。 
【請求項７】
第１連結部材及び第２連結部材が、十文字溝及び十文字二段溝に係合させる第１仕切り部材及び第２仕切り部材の連結片のコーナー上下面で対向させて係合されて連結される請求項１〜６のいずれか１項に記載の仕切り構造。 
【請求項８】
長方形板状体の長手方向に第１連結部材の配置間隔で折り曲げ可能な第１床体部と、第１床体部の両端に折り曲げ可能に連接された端床体を有し、板幅方向の結合面より第１連結部材の配置間隔の中心位置及び折り曲げ位置に係合穴が設けられた第１床部材と、 
長方形板状体の長手方向に第１連結部材の配置間隔で折り曲げ可能な第２床体部と、第２床体部の両端に折り曲げ可能に連接された端床体を有し、第１連結部材の配置間隔と同じ板幅の結合面で形成され、結合面間の中心位置に連結部材が係合可能な係合穴を有する第２床部材とを用い、 
第１床部材及び第２床部材の係合穴に第１連結部材又は第２連結部材を係合させて第１仕切り部材及び第２仕切り部材を連結し、所定の空間を所望形状の小空間に区分けする請求項１〜７のいずれか１項に記載の仕切り構造。 
【発明の詳細な説明】
【技術分野】
【０００１】
本発明は、仕切り部材と連結部材と床部材を用いて部材どうしが係合されて連結し仕切りが構成されており、ボランティアなどが避難所において避難者の居住スペースを簡便に設営できるようにした仕切り構造に関する。
【背景技術】
【０００２】
例えば、地震関連の文献等によると、今後３０年に７０％の確立でマグニチュード７を超える主な巨大地震として首都直下地震や東海地震、東南海・南海地震が想定されている。このような災害が発生した際に、避難所として小中学校などの公共施設が使用されている。そこでは、避難生活者への援助として水や食糧といった生命に関する物資の他に、避難場所を設営するための物資を備蓄しておくことは重要と考えられる。避難所での混乱を避けると同時に、避難生活者の精神的な負担を軽減するプライバシー確保が一時的にできる生活スペースを囲う仕切り構造は不可欠と考えられる。そこで、避難所において簡易に仕切りが設営できることを目的とした仕切り構造について、次のような先行技術文献が公開されている。
【０００３】
以下、先行技術文献について説明する。「段ボール製間仕切り構造（例えば、特許文献１）」は、一種類の間仕切り板を複数連結配置して成る段ボール製間仕切り構造であって、間仕切り板は中折り目と端板を備えており、端板が重なり合う位置に設けた連結穴部に連結材を挿入して連接される方法が用いられている。
【０００４】
また、この方法によると、一種類のダンボール製間仕切り板を用いて側壁仕切り板と床面敷き板が兼用されており、１組の囲いを形成するのに３枚の前記ダンボール製間仕切り板が使用されている。
【０００５】
更に、１組の囲いの形成において、２枚のＬ形側壁仕切り板を連結材を用いてコの字形につなぎ合せ、板面を縦向きにして下側連結部と、１枚の床面敷き板の両端部をＬ形に折り曲げて連結部どうしを連結材で連結されており、特許文献１と本発明とは、以下に示すような機能および構成が異なっている。
【先行技術文献】
【特許文献】
【０００６】
【特許文献１】特開２００６−３２８８３４号公報
【発明の概要】
【発明が解決しようとする課題】
【０００７】
以上に述べた先行技術文献の実施例から予想される課題として、特許文献１はダンボール製間仕切り板と連結材を用いて、ダンボール製間仕切り板を折り曲げて連結されており、１組の囲い面積が限定されており、囲いどうしを連結すると側壁仕切り板の一部に開口部が形成されて十分な間仕切りが出来ていないものと考えられる。更に、側壁仕切り板の外力による転倒防止を考慮するとダンボール仕切り板素材の板厚増による重量増加につながり、連結穴同士を位置合わせして連結材を挿入する方法は穴数が多く面倒な作業になることが予想され、緊急時の備蓄資材としての収納性・持ち運び・簡便で確実な設営・耐久性・美観などが課題として挙げられる。
【０００８】
本発明は、従来の構成が有していた課題を解決しようとすると同時に、被災時の備蓄資材として収納性及び持ち運びが容易で、簡便で確実な安定した設営を可能に構成し、耐久性及び美観の確保などの観点からも最適な仕切り構造を考案し、それを実現させることを目的としている。
【課題を解決するための手段】
【０００９】
上記目的に到達するのに本発明では、その課題を解決するために用いられている手段について、以下に説明する。長方形の板状体であって長手方向所定位置で折り曲げ可能な第１本体部と、第１本体部の両端に折り曲げ可能に連接された連結片とを有する第１仕切り部材と、長方形の板状体からなる第２本体部と、第２本体部の両端に折り曲げ可能に連接された連結片とを有する第２仕切り部材と、柱状の第１基体に軸方向に十文字溝が形成され、十文字溝の交差位置に溝側壁と所定隙間を隔てて突起が形成された第１連結部材とを用い、第１仕切り部材及び第２仕切り部材の連結片を第１連結部材の十文字溝に係合させて第１仕切り部材及び第２仕切り部材を連結し、所定の空間を所望形状の小空間に区分けする仕切り構造である。更に、第１仕切り部材と第２仕切り部材と第１連結部材の部材のみを用いて収容人数に相応する小空間の仕切り構造の構成を可能にされており避難所の収容空間に応じた臨機応変な小空間に区分けする設営を可能にしている。
【００１０】
また、第１連結部材の十文字溝の幅が、第１仕切り部材の連結片及び第２仕切り部材の連結片の少なくとも一方を二枚重ね合わせて係合可能な幅で形成されており、更に、第１連結部材の十文字溝の角部には第１仕切り部材及び第２仕切り部材の一カ所〜四カ所のコーナーに用途に応じて自在に係合可能にさせている。
【００１１】
また、柱状の第２基体に軸方向に十文字二段溝が形成された第２連結部材をさらに用い、第１仕切り部材及び第２仕切り部材の連結片を第１連結部材の十文字溝及び第２連結部材の十文字二段溝の少なくとも一方に係合させ、十文字一段溝には第１仕切り部材及び第２仕切り部材のコーナー上下面を係合させて連結し、所定の空間を所望形状の小空間に区分けする仕切り構造であり、第１連結部材は第１仕切り部材及び第２仕切り部材のコーナーで使用され、第２連結部材は第１仕切り部材及び第２仕切り部材のコーナー及び連結片どうしを二枚重ね合わせて連結される方法が用いられている。
【００１２】
また、第２連結部材の十文字二段溝の幅及び十文字一段溝の幅は、十文字二段溝の幅が第１仕切り部材の連結片及び第２仕切り部材の連結片の少なくとも一方を二枚重ね合わせて係合可能な幅であり、十文字一段溝は第１仕切り部材のコーナー上下面及び第２仕切り部材のコーナー上下面に対向するように係合可能な幅である構成であり、十文字二段溝の直線状溝では第１仕切り部材及び第２仕切り部材の連結片どうしが係合されて二枚重ね合わせ面を密接させ、第２仕切り部材の連結片を通路側に向けて可動可能に係合されている。
【００１３】
また、第１仕切り部材及び第２仕切り部材の連結片が、切り込み又は折り曲げ筋によって第１本体部及び第２本体部に対して折り曲げ可能に連接され、第１連結部材の十文字溝に形成された突起に切り込み又は折り曲げ筋が対向するように、第１仕切り部材及び第２仕切り部材の連結片を第１連結部材の十文字溝に係合させる仕切り構造であり、第１連結部材の十文字溝の片側に第１仕切り部材及び第２仕切り部材を係合させても連結可能にされている。
【００１４】
また、第１仕切り部材及び第２仕切り部材が段ボールから構成されており、第１仕切り部材及び第２仕切り部材の連結片はリブとしても活用されるものであり、折り曲げ部は片側ライナーを切断して切り込み及び片側ライナーに折り目の窪みを付けた折り曲げ筋を設けて折り曲げ及び折畳みが可能に形成されている。
【００１５】
また、第１連結部材が、第１連結部材の十文字溝に第１仕切り部材及び第２仕切り部材のコーナー上下面で対向させて係合連結されており、第１連結部材を上下に対向させて配置することによって支柱の役割を兼用させている。
【００１６】
更に、長方形板状体の長手方向に第１連結部材の配置間隔で折り曲げ可能な第１床体部と、第１床体部の両端に折り曲げ可能に連接された端床体を有し、板幅方向の結合面より第１連結部材の配置間隔の中心位置及び折り曲げ位置に係合穴が設けられた第１床部材と、長方形板状体の長手方向に第１連結部材の配置間隔で折り曲げ可能な第２床体部と、第２床体部の両端に折り曲げ可能に連接された端床体を有し、第１連結部材の配置間隔と同じ板幅の結合面で形成され、結合面間の中心位置に連結部材が係合可能な係合穴を有する第２床部材とを用い、第１床部材及び第２床部材の係合穴に第１連結部材又は第２連結部材を係合させて第１仕切り部材及び第２仕切り部材を連結し、所定の空間を所望形状の小空間に区分けする仕切り構造が構成されており、水平力による第１連結部材又は第２連結部材の水平方向動きを規制し、各部材間を安定して保持させている。
【００１７】
更に、第１仕切り部材及び第２仕切り部材の連結片は第２連結部材の十文字二段溝の直線状溝に係合させて転倒防止と補強を兼ねて構成されており、第２連結部材の十文字二段溝の直線状溝には第２仕切り部材の連結片を通路側に向けて可動可能に係合され、開閉扉としての機能を発揮させている。
【００１８】
更に、第１仕切り部材及び第２仕切り部材が隣接して仕切りが形成される箇所において、第１仕切り部材の代わりに第２仕切り部材が用いる事が可能であり、第２仕切り部材どうしでは一方を省略して連結することも可能に構成されている。
【００１９】
更に、第１仕切り部材及び第２仕切り部材は、折り畳んでコンパクトな梱包にして運搬及び収納性を向上させている。上記の手段により課題を解決し、目的到達が企図されている。
【発明の効果】
【００２０】
本発明の仕切り構造は、上述されている手段によって以下に示されるような効果が所望されるものであり、第１仕切り部材及び第２仕切り部材と第１連結部材及び第２連結部材で構成されており、更に、第１床部材及び第２床部材を用いた構成を可能にしており、第２仕切り部材は開閉扉としても活用され、第１仕切り部材及び第２仕切り部材の連結片は転倒防止のリブを兼用しており、第１床部材及び第２床部材は敷物としても使用できるものであり、それぞれの部材によって十分な機能を発揮させている。
【００２１】
更に、第１仕切り部材及び第２仕切り部材は、それぞれの部材どうしが二枚重ね合って連結される箇所においては、第１仕切り部材及び第２仕切り部材の何れかの部材を省略して連結できるものであり、何れかの仕切り部材を節減できる効果を有している。
【００２２】
更に、第１仕切り部材と第２仕切り部材は、軽量で折畳んでコンパクトに梱包できるので持ち運びが容易であり、耐久性に優れた素材の選定が可能で繰り返し利用ができるものであり、更に、備蓄資材倉庫のスペースが小型化できる利点を有している。
【００２３】
更に、避難所での仕切り構造の設営は、床部材によって位置合わせが容易になり、床面に敷いた床部材の係合穴に連結部材を嵌め込み、連結部材の溝に合せて仕切り部材を差し込むことにより連結されて設置できるようにされており、ボランティアなどが短時間で簡便に大量の設営が可能になり、被災時に避難所での混乱を軽減させるのに役立たせている。
【００２４】
更に、仕切り部材は、カラフルな素材を用いることにより避難所での区割り設定が容易になり、避難生活者の緊張を和らげるのに役立ち、色分けによって識別効果を高めるものであり、美観の観点からも意匠性の効果が発揮ができるものである。以上に記述されているように、本発明の効果が所望できるものである。
【図面の簡単な説明】
【００２５】
【図１】本発明の実施形態の一例を示す第１仕切り部材の等角投影図
【図２】本発明の実施形態の一例を示す第２仕切り部材の等角投影図
【図３】本発明の実施形態の一例を示す第１連結部材の等角投影図
【図４】本発明の実施形態の一例を示す第２連結部材の等角投影図
【図５】本発明の実施形態の一例を示す仕切り構造の等角投影図
【図６】本発明の実施形態の一例を示す仕切り構造の請求項３の等角投影図
【図７】本発明の図５の水平方向の部分拡大断面図
【図８】本発明の図６の通路側下部の部分拡大斜視図
【図９】本発明の図６の戸開き時の平面図
【図１０】本発明の図６を一対にした二枚重ね仕切り板の平面図
【図１１】本発明の図６を一対にした一枚仕切り板の平面図
【図１２】本発明の図６の仕切り面積を変えて４連結した平面図
【図１３】本発明の図１１を５連結にして２列に設営時の等角投影図
【図１４】本発明の図９Ｂ部の横曲げ仕切り板を係合させた拡大断面図
【図１５】本発明の図１２Ｃ部の横曲げ仕切り板を係合させた拡大平面図
【図１６】本発明の図１０Ａ部の縦曲げ仕切り板を係合させた拡大平面図
【図１７】本発明の実施形態の一例を示す第１床部材の等角投影図
【図１８】本発明の実施形態の一例を示す第２床部材の等角投影図
【図１９】本発明の実施形態の一例を示す仕切り構造の等角投影図
【図２０】本発明の実施形態の一例を示す床部材つなぎの等角投影図
【発明を実施するための形態】
【００２６】
以下、本発明の実施形態の一例について図１〜図２０に基づいて説明する。各部材の単体が図１〜図４及び図１７、図１８、図２０に示されており、基本的な構成が図５〜図９、図１９に示されている。更に、避難所で設営された状態が図１０〜図１３に示されており、仕切り部材と連結部材の係合された状態の詳細が図１４〜図１６に示されている。また、図において、位置関係を示すのに仕切り構造５の端部を端側、一対に連結される側を一対の連結側、開閉扉側を通路側、連続して連結される側を連続連結側、仕切り構造の中央部を仕切り構造の中央として表示されている。
【００２７】
請求項１に記載されているように、図１に示される長方形の板状体であって長手方向所定位置で折り曲げ１２可能な第１本体部１１と、第１本体部１１の両端に折り曲げ可能に連接された連結片１４とを有する第１仕切り部材１と、図２に示される長方形の板状体からなる第２本体部２１と、第２本体部２１の両端に折り曲げ可能に連接された連結片２３とを有する第２仕切り部材２と、図３に示される柱状の第１基体３１に軸方向に十文字溝３２が形成され、十文字溝３２の交差位置に溝側壁３４と所定隙間３５を隔てて突起３３が形成された第１連結部材３とを用い、第１仕切り部材１及び第２仕切り部材２の連結片１４、２３を第１連結部材３の十文字溝３２に係合させて第１仕切り部材１及び第２仕切り部材２を連結し、所定の空間を所望形状の小空間に区分けする図５で示される仕切り構造５である。更に、第１仕切り部材１と第２仕切り部材２と第１連結部材３の部材を用いて収容人数に相応するスペースの仕切り構造５の構成を可能にされており避難所の収容空間に応じた臨機応変な設営を可能にしている。
【００２８】
また、請求項２に記載されているように、図３に示される第１連結部材３の十文字溝の幅３２が、図１４で示すように第１仕切り部材１の連結片１４及び第２仕切り部材２の連結片２３の少なくとも一方を二枚重ね合わせて係合可能な幅で形成されており、更に、図１６で示すように第１連結部材３の十文字溝３２の溝側壁３５には第１仕切り部材１及び第２仕切り部材２のコーナー上下面１５、２４を用途に応じて一箇所〜四箇所に用いて係合を可能にさせている。
【００２９】
また、請求項３に記載されているように、図４に示される柱状の第２基体４１に軸方向に十文字二段溝の幅４２が形成された第２連結部材４をさらに用い、図８、図１４に示されるように第１仕切り部材１及び第２仕切り部材２の連結片１４、２３を第１連結部材３の十文字溝の幅３２及び第２連結部材４の十文字二段溝の幅４２の少なくとも一方に係合させ、図１５で示されるように十文字一段溝の幅４５には第１仕切り部材１及び第２仕切り部材２のコーナー上下面１５、２４を係合させて連結し、所定の空間を所望形状の小空間に区分けする仕切り構造５であり、第１連結部材３は第１仕切り部材１及び第２仕切り部材２のコーナー上下面１５、２４で使用され、第２連結部材４は第１仕切り部材１及び第２仕切り部材２のコーナー上下面１５、２４及び連結片１４、２３どうしを二枚重ね合わせて連結される方法が用いられている。
【００３０】
また、請求項４に記載されているように、図５で示される第２連結部材４の十文字二段溝の幅４２及び十文字一段溝の幅４５は、十文字二段溝の幅４２が第１仕切り部材１の連結片１４及び第２仕切り部材２の連結片２３の少なくとも一方を二枚重ね合わせて係合可能な幅であり、十文字一段溝４５は第１仕切り部材１のコーナー上下面１５及び第２仕切り部材２のコーナー上下面２４に対向するように係合可能な幅である構成であり、十文字二段溝４２の直線状溝では第１仕切り部材１及び第２仕切り部材２の連結片１４、２３どうしが係合されて二枚重ね合わせ面を密接させ、第２仕切り部材２の連結片２３を通路側に向けて可動可能に係合されている。
【００３１】
また、請求項５に記載されているように、図１４〜図１６で示される第１仕切り部材１及び第２仕切り部材２の連結片１４、２３が、切り込み又は折り曲げ筋１３、２２によって第１本体部１１及び第２本体部２１に対して折り曲げ可能に連接され、第１連結部材３の十文字溝に形成された突起３３に切り込み又は折り曲げ筋１３、２２が対向するように、第１仕切り部材１及び第２仕切り部材２の連結片１４、２３を第１連結部材３の十文字溝に係合させる仕切り構造５であり、第１連結部材３の十文字溝の幅３２の片側に第１仕切り部材１及び第２仕切り部材２を図８で示されるような係合にしても連結可能にされている。
【００３２】
また、請求項６に記載されているように、図１、図２に示される第１仕切り部材１及び第２仕切り部材２は段ボールから構成されており、第１仕切り部材１及び第２仕切り部材２の連結片１４、２３はリブとしても活用されるものであり、図１５、図１６で示されるように折り曲げ部は片側ライナーを切断した切り込み及び片側ライナーに折り目の窪みを付けた折り曲げ筋１３、２２を設けて折り曲げ及び折畳みが可能に形成されている。
【００３３】
また、請求項７に記載されているように、図３に示される第１連結部材１が、図５で示されるように第１連結部材１の十文字溝３２に第１仕切り部材１及び第２仕切り部材２のコーナー上下面１５、２４で対向させて係合連結されており、第１連結部材１を上下に対向させて配置することによって支柱の役割を兼用させている。
【００３４】
また、請求項８に記載されているように、図１７、図１８に示される長方形板状体の長手方向に第１連結部材３の配置間隔で折り曲げ６５可能な第１床体部６１と、第１床体部６１の両端に折り曲げ６３可能に連接された端床体６２を有し、板幅方向の結合面６６より第１連結部材３の配置間隔の中心位置及び折り曲げ６３、６５位置に係合穴６４が設けられた第１床部材６と、長方形板状体の長手方向に第１連結部材３の配置間隔で折り曲げ７５可能な第２床体部７１と、第２床体部７１の両端に折り曲げ７３可能に連接された端床体７２を有し、第１連結部材３の配置間隔と同じ板幅の両端結合面７６で形成され、両端結合面７６間の中心位置に連結部材３、４が係合可能な係合穴７４を有する第２床部材とを用い、第１床部材６及び第２床部材７の係合穴６４、７４に第１連結部材３又は第２連結部材４を係合させて第１仕切り部材１及び第２仕切り部材２を連結し、所定の空間を所望形状の小空間に区分けする図１９に示される床部材付き仕切り構造８が構成されており、水平力による第１連結部材３又は第２連結部材４の水平方向動きを規制し、各部材１、２、３、４間を安定して保持させている。
【００３５】
以下、上記構成の詳細について、更に、図１〜図２０に基づいて説明する。図１で示される仕切り部材１は、長方形の板状体の段ボール製であって長手方向位置で折り曲げ１２可能な図１５、図１６で示されるような切り込み又は折り曲げ筋１３を設けた第１本体部１１と、その両端に折り曲げ可能な図１５、図１６で示されるような切り込み又は折り曲げ筋１３を設けて連接された連結片１４により構成されている。また、部材寸法は厚さ０．５ｃｍ、高さ９０ｃｍ、２×幅９０ｃｍ、連結片２×１０ｃｍ程度を目安にされている。
【００３６】
図２に示される第２仕切り材２は、長方形の板状体の段ボールからなる第２本体部２１の両端に折り曲げ２６可能な図１５、図１６で示されるように切り込み又は折り曲げ筋２２を設けて折り曲げ可能に連接された連結片２４により構成されている。また、部材寸法は厚さ０．５ｃｍ、高さ９０ｃｍ、幅９０ｃｍ、連結片２×１０ｃｍ程度を目安にされている。
【００３７】
図３に示される第１連結部材３は、柱状の第１基体３１に軸方向に十文字溝３２が形成され、十文字溝３２の交差位置に溝側壁３４と所定間隔３５を隔てて十文字溝３２及び、突起３３の溝底面３６によって形成されており、第１連結部材３は上下から対向させた溝底面３６を第１仕切り部材１及び第２仕切り部材２に係合させて押し当てて連結されて支柱の機能も備えており、床面との設置面には着脱可能なゴム材を用いて保持させることも可能にされている。更に、図７で示すように十文字溝３２の直線溝に第１仕切り部材１及び第２仕切り部材２の連結片１４、２３を二枚重ねて係合可能にされている。
【００３８】
図４に示される第２連結部材４は、柱状の第２基体４１に軸方向に形成された十文字二段溝４２は、二段重ねにされて十文字二段溝の幅４２の二段溝底面４３と十文字一段溝の幅４５と一段溝底面４４で構成されており、十文字一段溝４５は図８、図１５に示すような第１仕切り部材１及び第２仕切り部材の係合を可能にしており、十文字二段溝４２は図１４、図１６に示すように一段溝底面４４まで第１仕切り部材１及び第２仕切り部材２を差し込み係合が可能にされている。
【００３９】
図５に示される仕切り構造５は、小空間の戸閉め状態が示されており、第１仕切り部材１はコーナーに対向して配置され、第２仕切り部材２はコーナー間に連結して配置され、第１連結部材３が第１仕切り部材１及び第２仕切り部材２のコーナー上下面１５、２４に配置されて連結しており、通路側の第２仕切り部材２は連結片２３を通路側に向けて連結されている。第１連結部材３は９０ｃｍ間隔で配置されて連結されており、一人当りの小空間面積は９０ｃｍ×１８０ｃｍとすると３人程度の収容面積に相当している。
【００４０】
図６に示される仕切り構造５は、請求項３に記載されているように第２連結部材４をさらに用い、第２連結部材４を第１仕切り部材１及び第２仕切り部材の連結片１４、の上下に係合させて連結される構成にされており、通路側の第２仕切り部材２は開放状態が示されている。
【００４１】
図７の平面図は、図５に示される仕切り構造５を部分拡大した水平方向の断面図であり、仕切り構造５のコーナー部に配置された第１連結部材３は十文字溝３２の溝側壁３４に第１仕切り部材１が係合保持されており、コーナー間に配置された連結部材３には第１仕切り部材１及び第２仕切り部材２の連結片１４、２３が係合保持されており、十文字溝３２の空き溝状態の箇所には第１仕切り部材１及び第２仕切り部材２が連続して連結可能にされており、通路側の第２仕切り部材２は連結片２３を通路側に向けて配置して第１連結部材３の十文字溝１４の直線状溝より片方の連結片２３を抜出し、図７で示すように第２仕切り部材２を内側へ可動させて戸開き可能に構成されている。
【００４２】
図８の平面図は、図６に示される仕切り構造５の部分拡大された水平断面図であり、第２連結部材４を用いて第１仕切り部材１及び第２仕切り部材２を係合保持させており、第１連結部材３の十文字溝３２及び第２連結部材４の十文字二段溝４２の直線状溝に第１仕切り部材１及び第２仕切り部材２の連結片１４、２３が連結可能にされており、通路側の第２仕切り部材２は連結片２３を通路側に向けて配置して片方を第１連結部材３及び第２連結材４の直線状溝より抜出し、図７で示されるように第２仕切り部材２を内側へ可動させて戸開き可能に構成されている。
【００４３】
図９の平面図は、図６に示される仕切り構造５の平面図であり、各部材配置が示されており、第２仕切り部材２は戸開き状態が示されており、開閉扉として連結された第２仕切り部材２は連結片２３の切り込み又は折り曲げ筋２２を回転中心にして開閉可能に構成されている。
【００４４】
図１０の平面図は、図５に示される仕切り構造５を一対にして連結しており、第１仕切り部材１及び第２仕切り部材２が背中合せにして二枚重ねで連結された構成が示されている。
【００４５】
図１１の平面図は、図５に示される仕切り構造５を一対にして連結しており、第１仕切り部材１及び、第２仕切り部材２の何れかの部材が省略されて一枚の仕切り部材で連結された構成が示されており、第１仕切り部材１及び第１仕切り部材２と第１連結部材３及び第１連結部材４の組合せによりこのような構成が可能にされている。
【００４６】
図１２の平面図は、図１１に示される一対の仕切り構造５に対し、更に連続して一対の仕切り構造５を連結して左図の小空間は４人用と２人用にしており、右図の小空間は３人用を二つ連続して連結した状態であり、第１仕切り部材１及び第２仕切り部材２は重ね合せ連結が省略されて一枚の連結部材を用いた小空間の構成が可能にされている。
【００４７】
図１３の斜視図は、図１１に示される一対の仕切り構造５に対し、一対の仕切り構造５が連続して連結され、２列に設営された状態が示されており、避難場の空間に応じて所望される小空間の設営が可能にされている。
【００４８】
図１４の平面図は、図１２Ｃの部分拡大図を示すもので、第１仕切り部材１及び第１仕切り部材２は切り込み１３、２２形状が示されており、切り込み１３、２２の切り込み面は突起３３の外周面と接触させて保持され、切り込み１３、２２は段ボールシートの片側ライナーを切り離し、繋がった片側ライナーを用いて折り曲げ及び折り畳めるようにされており、第１連結部材３の十文字溝３２の片側には二箇所の溝側壁３４に第１仕切り部材１及び第２仕切り部材２が係合されて保持され、第１仕切り部材１及び第２仕切り部材の連結片１４、２３は第２連結部材４の十文字二段溝３２の直線状溝に係合させて連結されている。
【００４９】
図１５の平面図は、図１２Ｃの部分拡大図を示すもので、図１２Ｃの部分において連結部材４の十文字一段溝４５には第１仕切り部材１及び第２仕切り部材２が対向して係合させた状態にしており、第２連結部材４の十文字一段溝の幅４５の一段溝底面４４まで第１仕切り部材１及び第２仕切り部材２の切り込み又は折り曲げ筋１３、２２が対向して係合されており所望される小空間に応じた連結が可能にされている。
【００５０】
図１６の平面図は、図１０Ａの部分拡大図を示すもので、図１０Ａの部分において連結部材３の十文字溝３２には４箇所の溝側壁３４に第１仕切り部材１及び第２仕切り部材２の折り曲げ筋１３、２２が係合された状態にしており、第１連結部材の十文字溝３２には第１仕切り部材１及び第２仕切り部材２の折り曲げ筋１３、２２の背面を四角形にした突起３３の表面を当てるようして二枚重ねで保持させて所望される小空間に応じた連結が可能にされている。
【００５１】
図１７の等角投影図は、第１床部材６が示されており、長方形の板状体の段ボールであって長手方向は一対の仕切り構造が連結可能な長さにしてＷ形に折り畳めるように折り曲げ７３、７５が可能にされており、板幅方向に連続連結が出来るようにして係合穴は結合面６６より連結部材３、４の配置間隔の中心位置及び、長手方向は折り曲げ位置に係合穴が設けられている。また、第１床部材６は連続連結された仕切り構造５の両端位置にに配置されるもので、連結部材３、４の水平方向の動きが規制され、床面シートとしても活用できるもので、位置決め作業の手間が省略されている。
【００５２】
図１８の等角投影図は、第２床部材７が示されており、長方形の板状体の段ボールであって長手方向は一対の仕切り構造５が連結可能な長さにしてＷ形に折り畳めるように折り曲げ７３、７５が可能にされており、係合穴７４は板幅方向に連続連結が出来るように両端結合面７６の中心位置とし、長手方向は折り曲げ７５位置とその両端に設けられている。また、第２床部材７は連続連結された仕切り構造５の中間に配置して結合されるもので、連結部材３、４の水平方向の動きが規制され、床面シートとしても活用できるもので、設置作業が容易にされている。
【００５３】
図１９の等角投影図は、仕切り構造５に第１床部材６を及び第１床部材７を取り付けた状態の床部材付き仕切り構造８が示されており、第１床部材６は本図で示されるように両端側に配置されて連結を可能にしており、通路側に配置される第２仕切り部材２の箇所には連続連結側への床部材６、７どうしの可動規制を目的とした床部材つなぎ９の設置された状態が示されている。
【００５４】
図２０の等角投影図は、床部材つなぎ９が示されており、床部材つなぎ９は板状の長方形の床部材つなぎ体９１の両端に第１連結部材３の配置間隔でつなぎを可能にした係合穴９２を設けて形成されており、床部材つなぎ９を用いることによって床部材６、７どうしの可動を規制させている。
【００５５】
更に、各部材の材料は、第１仕切り部材１及び第２仕切り部材２は、段ボール製とし、材料特性が優れた種類の豊富なプラダンシートの選定が可能であり、第１連結部材及び第２連結部材は樹脂製が適しており、第１床部材及び第２床部材はプラダンシートの使用も可能にされている。
【００５６】
以上のように、本実施形態によると、締結部品及び工具を使用する事無く、簡素な部品を用いて手作業により容易に所定の空間を所望形状の小空間に区分けすることができるものである。
【符号の説明】
【００５７】
１  第１仕切り部材
１１  第１本体部
１２  折り曲げ
１３  切り込み又は折り曲げ筋
１４  連結片
１５  コーナー上下面
２  第２仕切り部材
２１  第２本体部
２２  切り込み又は折り曲げ筋
２３  連結片
２４  コーナー上下面
３  第１連結部材
３１  第１基体部及び基体
３２  十文字溝又は十文字溝の幅
３３  突起
３４  溝側壁
３５  所定隙間
３６  溝底面
４  第２連結部材
４１  第２基体
４２  十文字二段溝又は十文字二段溝の幅
４３  二段溝底面
４４  一段溝底面
４５  十文字一段溝又は十文字一段溝の幅
５  仕切り構造
６  第１床部材
６１  第１床体部
６２  端床体
６３  折り曲げ
６４  係合穴
６５  切り込み又は折り曲げ
６６  結合面
７  第２床部材
７１  第２床体部
７２  端床体
７３  折り曲げ
７４  係合穴
７５  切り込み又は折り曲げ
７６  両端結合面
８  床部材付き仕切り構造
９  床部材つなぎ
９１  床部材つなぎ体
９２  係合穴
【図１】
2014092014.tif 000003
【図２】
2014092014.tif 000004
【図３】
2014092014.tif 000005
【図４】
2014092014.tif 000006
【図５】
2014092014.tif 000007
【図６】
2014092014.tif 000008
【図７】
2014092014.tif 000009
【図８】
2014092014.tif 000010
【図９】
2014092014.tif 000011
【図１０】
2014092014.tif 000012
【図１１】
2014092014.tif 000013
【図１２】
2014092014.tif 000014
【図１３】
2014092014.tif 000015
【図１４】
2014092014.tif 000016
【図１５】
2014092014.tif 000017
【図１６】
2014092014.tif 000018
【図１７】
2014092014.tif 000019
【図１８】
2014092014.tif 000020
【図１９】
2014092014.tif 000021
【図２０】
2014092014.tif 000022